(57)【要約】      （修正有）【課題】複数のブルートゥーススピーカーの一式のリングネットワークを形成する方法を提供する。【解決手段】多数のブルートゥーススピーカー１０２と、多数の、ブルートゥーススピーカーの１つと接続可能な音声デバイス１０４とを含むブルートゥーススピーカーリングネットワーク１００において、方法は、複数のブルートゥーススピーカー１０２のうちの上流のブルートゥーススピーカーのアドレスを、複数のブルートゥーススピーカーのそれぞれの設定可能スピーカー登録部に追加する工程と、複数のブルートゥーススピーカーのうちの下流のブルートゥーススピーカーのアドレスを、複数のブルートゥーススピーカーのそれぞれの設定可能スピーカー登録部に追加する工程と、音源を複数のブルートゥーススピーカーの１つのブルートゥーススピーカーに接続する工程と、を含む。【選択図】図１
2020109989.tif 000002
【特許請求の範囲】
【請求項１】
複数のブルートゥーススピーカーの一式のリングネットワークを形成するための方法で
あって、
前記複数のブルートゥーススピーカーにおける上流のブルートゥーススピーカーのアド
レスを、前記複数のブルートゥーススピーカーのそれぞれの設定可能スピーカー登録部に
追加する工程と、
前記複数のブルートゥーススピーカーにおける下流のブルートゥーススピーカーのアド
レスを、前記複数のブルートゥーススピーカーのそれぞれの前記設定可能スピーカー登録
部に追加する工程と、
少なくとも１つの音源を、前記複数のブルートゥーススピーカーのうちの１つのブルー
トゥーススピーカーに接続する工程と、を含むことを特徴とする方法。
【請求項２】
前記音源に接続された前記１つのブルートゥーススピーカーにおいて、前記音源から音
声信号を受信する工程と、
前記音源に接続された前記１つのブルートゥーススピーカーから、下流のブルートゥー
ススピーカーに前記音声信号を送信する工程と、
前記音源に接続された前記１つのブルートゥーススピーカーから、上流のブルートゥー
ススピーカーに末尾信号を送信する工程と、
前記下流のブルートゥーススピーカーから、前記複数のブルートゥーススピーカーのう
ちのさらに下流のブルートゥーススピーカーのそれぞれに、複数の前記下流のブルートゥ
ーススピーカーの１つが、前記音声信号と前記末尾信号を受信するまで、前記音声信号を
送信する工程と、をさらに含む請求項１に記載の方法。
【請求項３】
前記複数のブルートゥーススピーカーのうちの１つのブルートゥーススピーカーは、前
記音声信号の出力を遅延させず、さらに、前記複数のブルートゥーススピーカーのうちの
残りの複数のブルートゥーススピーカーの少なくともいくつかは、異なる時間間隔だけ、
前記音声信号の出力を遅延させる請求項２に記載の方法。
【請求項４】
前記音源から、音量信号を受信する工程と、
前記音源に接続された前記１つのブルートゥーススピーカーに、前記音量信号を送信す
る工程と、
前記１つのブルートゥーススピーカーから、下流のブルートゥーススピーカーに、前記
音量信号を送信する工程と、
前記下流のブルートゥーススピーカーから、前記複数のブルートゥーススピーカーのう
ちのさらに下流のブルートゥーススピーカーのそれぞれに前記音声信号を送信する工程と
、をさらに含む請求項１に記載の方法。
【請求項５】
前記複数のブルートゥーススピーカーの前記リングネットワークに、新たなブルートゥ
ーススピーカーを参加させる工程をさらに含み、
前記参加させる工程は、
前記複数のブルートゥーススピーカーのうちの別のブルートゥーススピーカーにおいて
、前記新たなブルートゥーススピーカーから問い合わせを受信する工程と、
前記リングネットワークに参加するために、前記別のブルートゥーススピーカーを介し
て、前記問い合わせに応答する工程と、
元々の上流のブルートゥーススピーカーの前記設定可能スピーカー登録部から、前記別
のブルートゥーススピーカーの前記アドレスを削除する工程と、
前記別のブルートゥーススピーカーの前記設定可能スピーカー登録部に、前記新たなブ
ルートゥーススピーカーの前記アドレスを、新たな上流のブルートゥーススピーカーとし
て追加する工程と、
前記新たなブルートゥーススピーカーの前記設定可能スピーカー登録部に、前記元々の
上流のブルートゥーススピーカーの前記アドレスを、前記新たなブルートゥーススピーカ
ーの上流のブルートゥーススピーカーとして追加する工程と、
前記新たなブルートゥーススピーカーの前記設定可能スピーカー登録部に、前記別のブ
ルートゥーススピーカーの前記アドレスを、前記新たなブルートゥーススピーカーの下流
のブルートゥーススピーカーとして追加する工程と、を含む請求項１に記載の方法。
【請求項６】
前記リングネットワークから、前記複数のブルートゥーススピーカーのうちの１つのブ
ルートゥーススピーカーを除去する工程をさらに含み、
前記除去する工程は、
除去される前記ブルートゥーススピーカーの下流のブルートゥーススピーカーの設定可
能スピーカー登録部および除去される前記ブルートゥーススピーカーの上流のブルートゥ
ーススピーカーの設定可能スピーカー登録部から、除去される前記ブルートゥーススピー
カーのアドレスを削除する工程と、
前記上流のブルートゥーススピーカーの前記設定可能スピーカー登録部に、前記下流の
ブルートゥーススピーカーのアドレスを、新たな下流のブルートゥーススピーカーとして
追加する工程と、
前記下流のブルートゥーススピーカーの前記設定可能スピーカー登録部に、前記上流の
ブルートゥーススピーカーのアドレスを、新たな上流ブルートゥーススピーカーとして追
加する工程と、を含む請求項１に記載の方法。
【請求項７】
前記複数のブルートゥーススピーカーのうちの前記複数のブルートゥーススピーカーの
それぞれから、下流に流れる同期信号を送信し、前記音源からの音声信号を同期させる工
程をさらに含む請求項１に記載の方法。
【請求項８】
前記音源は、第１の音源であり、
前記方法は、第２の音源を、前記複数のブルートゥーススピーカーのうちの別のブルー
トゥーススピーカーに接続する工程をさらに含む請求項１に記載の方法。
【請求項９】
前記複数のブルートゥーススピーカーは、７つより多くのブルートゥーススピーカーを
含む請求項１に記載の方法。
【請求項１０】
前記音源に接続された前記１つのブルートゥーススピーカーにおいて、前記音源からデ
ータを受信する工程と、
前記音源に接続された前記１つのブルートゥーススピーカーから、下流のブルートゥー
ススピーカーに、前記データを送信する工程と、
前記下流のブルートゥーススピーカーから、前記複数のブルートゥーススピーカーのう
ちのさらに下流のブルートゥーススピーカーのそれぞれに、前記データを送信する工程と
、をさらに含む請求項１に記載の方法。
【請求項１１】
前記データは、音声のタイトルまたはアーティスト情報を含む請求項１０に記載の方法
。
【請求項１２】
前記音源に接続された前記１つのブルートゥーススピーカーから、前記音源に、データ
を送信する工程をさらに含む請求項１に記載の方法。
【請求項１３】
前記音源に接続された前記１つのブルートゥーススピーカーが前記データを受信するま
で、前記複数のブルートゥーススピーカーのうちのブルートゥーススピーカーから、下流
のブルートゥーススピーカーのそれぞれにデータを送信する工程をさらに含む請求項１２
に記載の方法。
【請求項１４】
リング構造で接続され、それぞれの上流のブルートゥーススピーカーと下流のブルート
ゥーススピーカーの識別情報を保存するよう構成された複数のブルートゥーススピーカー
と、
前記複数のブルートゥーススピーカーのうちの１つのブルートゥーススピーカーに接続
された音源と、を含むことを特徴とするシステム。
【請求項１５】
前記複数のブルートゥーススピーカー内における前記ブルートゥーススピーカーの数は
、変動可能である請求項１４に記載のシステム。
【請求項１６】
前記複数のブルートゥーススピーカーは、前記複数のブルートゥーススピーカーからブ
ルートゥーススピーカーが除去されたときに、前記リング構造を再形成するよう構成され
ている請求項１５に記載のシステム。
【請求項１７】
前記リング構造は、第１のリング構造であり、
前記複数のブルートゥーススピーカーのうちの少なくとも１つのブルートゥーススピー
カーが、前記複数のブルートゥーススピーカーから制御されて除去されたとき、前記複数
のブルートゥーススピーカーのうちの残りの複数のブルートゥーススピーカーが、第２の
リング構造を形成するよう構成されている請求項１６に記載のシステム。
【請求項１８】
前記リング構造は、第１のリング構造であり、
前記複数のブルートゥーススピーカーのうちの少なくとも１つのブルートゥーススピーカ
ーが、前記複数のブルートゥーススピーカーから制御されずに除去されたとき、前記複数
のブルートゥーススピーカーのうちの残りの複数のブルートゥーススピーカーが、第２の
リング構造を形成するよう構成されている請求項１６に記載のシステム。
【請求項１９】
前記リング構造は、第１のリング構造であり、
前記複数のブルートゥーススピーカーは、前記複数のブルートゥーススピーカーに新た
なブルートゥーススピーカーが追加されたときに、前記新たなブルートゥーススピーカー
を含む第２のリング構造を形成する請求項１５に記載のシステム。
【請求項２０】
前記複数のブルートゥーススピーカーの数は、７より多い請求項１４に記載のシステム
。
【請求項２１】
前記音源は、前記音源に接続された前記１つのブルートゥーススピーカーに、音声信号
を送信するよう構成されており、
前記音声信号は、前記音源に接続され、前記音声信号を受信した前記１つのブルートゥ
ーススピーカーの上流の前記ブルートゥーススピーカーにおいて前記音声信号が受信され
るまで、前記リング構造の前記複数のブルートゥーススピーカーのそれぞれに送信される
請求項１４に記載のシステム。
【請求項２２】
前記音源は、第１の音源であり、
前記音声信号は、第１の音声信号であり、
前記システムは、
前記複数のブルートゥーススピーカーのうちの別のブルートゥーススピーカーに接続さ
れた第２の音源をさらに含み、
前記第２の音源は、前記第２の音源に接続された前記別のブルートゥーススピーカーに
、第２の音声信号を送信するよう構成されており、
前記第２の音声信号は、前記第２の音声信号が、前記第２の音源に接続され、前記第２
の音声信号を受信した前記別のブルートゥーススピーカーの上流の前記ブルートゥースス
ピーカーにおいて受信されるまで、前記第１の音声信号の代わりに、前記リング構造の前
記複数のブルートゥーススピーカーのそれぞれに送信される請求項２１に記載のシステム
。
【請求項２３】
前記複数のブルートゥーススピーカーのうちの前記複数のブルートゥーススピーカーの
それぞれは、前記音源から受信した音量信号に基づいて、同じ音量レベルで動作する請求
項１４に記載のシステム。
【請求項２４】
前記複数のブルートゥーススピーカーのうちの前記複数のブルートゥーススピーカーの
それぞれに接続された変動可能な数の追加的な音源をさらに含む請求項２２に記載のシス
テム。
【請求項２５】
前記音源は、前記音源に接続された前記１つのブルートゥーススピーカーに、データを
送信するよう構成されており、
前記データは、前記リング構造の前記複数のブルートゥーススピーカーのそれぞれに送
信される請求項１４に記載のシステム。
【請求項２６】
前記データは、音声のタイトルまたはアーティスト情報を含む請求項２５に記載のシス
テム。
【請求項２７】
前記音源は、前記音源に接続された前記１つのブルートゥーススピーカーから、前記複
数のブルートゥーススピーカーの１つにおいて生成されたデータを受信するよう構成され
ている請求項１４に記載のシステム。
【発明の詳細な説明】
【技術分野】
【０００１】
本出願は、ブルートゥーススピーカー（Bluetooth （登録商標）speakers）に関し、より具体的には、リングネットワーク（ring network）内の多数のブルートゥーススピーカーおよび音声デバイス（audio devices）を組み合わせるためのシステムに関する。
【背景技術】
【０００２】
ブルートゥース（登録商標）は、短距離でデータを交換するための無線技術標準である
。ブルートゥースは、Ａ２ＤＰ（Advanced Audio Distribution Profile:ブルートゥース
の無線通信技術を用いて音声データを伝送するためのプロファイル群）によって、音声に
対応している。最新の携帯電話および音声デバイスは、Ａ２ＤＰに対応しており、さらに
、携帯電話のようなブルートゥース音声デバイスから供給される音声を再生可能なブルー
トゥーススピーカーに対する巨大な市場が存在している。
【発明の概要】
【発明が解決しようとする課題】
【０００３】
ブルートゥーススピーカーの大部分は、単一の場所において音声を再生（render）する
単一のユニットオブジェクトである。これらは、通常、低い電力要求を有しており、さら
に、静かな部屋にいる単一のリスナー（聴取者）を対象としたものである。従来のブルー
トゥース規格を用いて、ブルートゥーススピーカーシステムは、最大７個のデバイスを、
単一のピコネット（piconet）内において接続することができる。音声は、ピコネット内
において、１つのＡ２ＤＰ発信デバイス（A2DP source device）から、別のＡ２ＤＰ受信
デバイス(A2DP sink device)に、転送可能となっている。いくつかの専用のソリューショ
ンは、合計２つのスピーカーを提供するための第２のＡ２ＤＰ受信デバイスが、同時に同
じ音声を再生することを可能としている。本発明のいくつかの実施形態は、従来技術にお
ける、これらの、および、その他の制限に対処するものである。
【図面の簡単な説明】
【０００４】
【図１】図１は、本発明の実施形態に係るブルートゥーススピーカーリングネットワークのブロック図である。
【図２】図２は、本発明の実施形態に係るブルートゥーススピーカーリングネットワークの初期状態を示すブロック図である。
【図３】図３は、本発明の実施形態に係る引継リングリーダー手続き（takeover ringleader procedure）を示すブロック図である。
【図４】図４は、本発明の実施形態に係る再同期手続きを示すブロック図である。
【図５】図５は、本発明の実施形態に係る音声遅延補償手続きおよびリングリーダー引継手続きを示すブロック図である。
【図６】図６は、本発明の実施形態に係る音量調整手続きを示すブロック図である。
【図７】図７は、本発明の実施形態に係る新たなブルートゥーススピーカー用のリングネットワーク参加手続きを示すブロック図である。
【図８】図８は、本発明の実施形態に係る制御ブルートゥーススピーカー離脱手続きを示すブロック図である。
【図９】図９は、本発明の実施形態に係る非制御ブルートゥーススピーカー離脱手続きを示すブロック図である。
【図１０】図１０は、リングネットワーク内で用いられる例示的なスピーカーのブロック図である。
【発明を実施するための形態】
【０００５】
図１は、多数のブルートゥーススピーカー１０２と、多数の音声デバイス１０４とを含
む例示的なブルートゥーススピーカーリングネットワーク１００を示している。複数の音
声デバイス１０４は、ブルートゥースプロトコルを介して、複数のブルートゥーススピー
カーの１つと接続可能な任意の音声デバイスである。ブルートゥース対応スピーカーの例
としては、例えば、アイフォン（登録商標）、アイパッド（登録商標）、アンドロイドフ
ォンを挙げることができる。リングネットワーク１００は、任意の数のブルートゥースス
ピーカー１０２を含むことができる。さらに、図１に示すように、Ｐ１、Ｐ２、Ｐ３・・
・Ｐｎを任意選択的に含む。すなわち、少なくとも１つの音声デバイスＰ０が、音源とし
て、リングネットワーク１００に接続されている必要がある。しかしながら、最大５個の
音声デバイスが、任意選択的に、リングネットワーク１００内の任意の数のスピーカー、
または、全てのスピーカーに接続されていてもよい。
【０００６】
ここで用いられるように、リングまたはリングネットワークは、互いにチェーン状にペ
アリングされた複数のブルートゥーススピーカーの系統的なセットを指す。リングまたは
リングネットワークにおいて、チェーンの終端は、チェーンの始端に接続されており、リ
ング構造を形成する。リングリーダー（ringleader）は、音声デバイスから音声を受信し
、さらに、リングネットワークに沿って音声を転送するブルートゥーススピーカーである
。以下により詳細に述べるように、リングリーダーは、任意のタイミングで、変更可能で
ある。
【０００７】
メタデータやステータスデータのようなデータは、ブルートゥースリングネットワーク
内の各スピーカーから、リングリーダー音声デバイスに送信される。さらに、以下により
詳細に述べるように、メタデータのようなデータは、リングリーダー音声デバイスから、
ブルートゥースリングネットワーク内の各スピーカーへ送信される。
【０００８】
図２は、本発明の実施形態に係る多数のブルートゥーススピーカー用の一式のリングネ
ットワークを形成するための例示的な動作を示している。最初に、第１のスピーカーｓ（
ｎ）が、ユーザーによって、リングネットワークモードにされる。例えば、スピーカー上
のボタンやスイッチによって、ユーザーは、第１のスピーカーｓ（ｎ）を、リングネット
ワークモードにすることができる。その後、第２のスピーカーｓ（ｎｅｗ）も、ユーザー
によって、リングネットワークモードにされる。各スピーカーがリングネットワークモー
ドにされると、各スピーカーは、動作２００に示されているように、制限された問い合わ
せ（limited inquiry）を実行し、共にネットワークを形成する他のスピーカーを発見し
、さらに、該他のスピーカーの位置を特定する。図２において、スピーカーｓ（ｎ）は、
問い合わせ処理を経て、スピーカーｓ（ｎｅｗ）を探し出し、特定する。スピーカーｓ（
ｎ）は、スピーカーｓ（ｎｅｗ）がリングネットワークに参加することを許可してもよい
し、許可しなくてもよい。
【０００９】
動作２０２において、スピーカーｓ（ｎ）は、スピーカーｓ（ｎｅｗ）とのブルートゥ
ース接続を確立し、非同期コネクションレス（ＡＣＬ： Asynchronous ConnectionLess）
層を設定する。動作２０４において、スピーカーｓ（ｎｅｗ）は、スピーカーｓ（ｎ）へ
の新たなブルートゥースシリアルポートプロファイル（ＳＰＰ： Serial Port Profile）
接続を確立する。リングネットワークを形成する前または形成した後に、０個から５個の
Ａ２ＤＰ音源が、ブルートゥーススピーカーｓ（ｎ）およびｓ（ｎｅｗ）のそれぞれに接
続される。
【００１０】
より詳細には、問い合わせ動作２００を介して、スピーカーｓ（ｎ）の特定がスピーカ
ーｓ（ｎｅｗ）によって確立されると、動作２０２において、ＡＣＬリンクがスピーカー
ｓ（ｎｅｗ）とスピーカーｓ（ｎ）との間で接続される。最後に、動作２０４において、
スピーカーｓ（ｎ）のＳＰＰクライアントが、スピーカーｓ（ｎｅｗ）のＳＰＰサーバー
へ接続され、引継動作２０６を実行するためのリングの準備が整う。
【００１１】
各ＳＰＰクライアントポートには、ポート接続をリード（lead）するリングの方向（右
回りまたは左回り）に応じて、向き（上流または下流のいずれか）が割り当てられる。ま
た、向きの指定は、リングネットワーク内において、どの経路で音声データが流れるかを
示す。
【００１２】
以下に詳述する複数のメッセージは、各メッセージ内において規定されている向きに従
って、リング内を回るように進む。リング前進（ring progress）は、リードしているポ
ートから受信された複数のメッセージを、各メッセージが伝達している方向に転送するこ
とによって実現される。
【００１３】
リングネットワークのリング特性に従って、メッセージ終了ルールが、メッセージを消
去し、それ以外の場合では、最新ではなくなったメッセージ（stale message）が、上述
のように、リングネットワーク内を回るように連続的に送信される。いくつかの実施形態
において、メッセージ終了ルールは、メッセージをメッセージの発信元に決して戻さない
よう転送するというルールを含んでいる。メッセージがチェーンの開放端（オープンエン
ド）に到達すると、メッセージが脱落（drop）してしまう。
【００１４】
スピーカーｓ（ｎ）とスピーカーｓ（ｎｅｗ）が接続されると、動作２０６において、
リングが形成され、さらに、スピーカーｓ（ｎｅｗ）またはスピーカーｓ（ｎ）のいずれ
か一方が、リングリーダーとなることができる。図３は、より大規模なリングネットワー
クにおけるリングリーダーの引継を示している。図３に示すように、リングネットワーク
は、スピーカーｓ（ｎ−１）からスピーカーｓ（ｎ＋３）までを含む。追加的な複数のス
ピーカーのリングネットワークへの追加は、以下により詳細に論じられる。スピーカーｓ
（ｎ）が音声デバイスから音声データを受信すると、スピーカーｓ（ｎ）は、下流へ流れ
るリングリーダーメッセージを送信することにより、リングを引き継ぐ。データの流れに
おける各スピーカーは、リングリーダーメッセージを、自身の下流のスピーカーに転送す
る。また、末尾メッセージ（tail message）が、スピーカーｓ（ｎ）から上流のスピーカ
ーｓ（ｎ−１）に送信される。この末尾メッセージは、冗長性（redundancy）を提供し、
システムが、完全に循環しておらず、最新ではなくなったメッセージ、および、それより
後の音声を、リング内を回るように何度も繰り返して転送し始めないことを保証する。単
一のスピーカーがリングリーダーメッセージと末尾メッセージを受信すると、リングリー
ダー割り当てが完了する。その後、新たなリングリーダーは、複数のスピーカーのそれぞ
れにおいて再生されるべき音声データを、リング内を回るように転送する。
【００１５】
ブルートゥースリングネットワークは、定期的に再同期（ｒｅｓｙｎｃ）信号を送信し
、リングネットワーク内の全てのスピーカーが線状に接続されていることを保証する。再
同期信号は、図４に示されているように、リングリーダースピーカーｓ（ｎ）から下流へ
送信される。再同期の間にリングネットワークが向きを反転させた場合には、上述のよう
に、上流または下流のＳＰＰクライアントポートの割り当ては、変化可能である。
【００１６】
音声信号は、リングネットワーク内を回るように、リングリーダーに接続された音声デ
バイスから伝達されるので、スピーカーのいくつかは、全てのスピーカーが一致して音声
信号を再生するよう、音声の再生を遅延させてもよい。いくつかの実施形態において、こ
の遅延は、リング内のデータ転送遅延の主要因となるよう調整されている。図５は、図３
を参照して説明したように、システム内において確立されるリングリーダーを示している
。
【００１７】
図５において、リングリーダーが確立された後、遅延信号がリングネットワーク上流に
送信され、末尾メッセージを受信したスピーカーｓ（ｎ−１）から、遅延信号の送信が始
まる。いくつかの実施形態において、音声遅延は、システム内でのスピーカーからスピー
カーへの遅延が一定（固定）であるという仮定の下で生成され、さらに、末尾信号を受信
したスピーカーｓ（ｎ−１）から始まる複数のノードをカウントすることにより生成され
る。リング内を回るように送信される遅延メッセージは、図５に示すように、各スピーカ
ーに対して、使用すべき遅延ユニットがどれだけ存在するかの数のカウントを提供する。
【００１８】
リングリーダースピーカーｓ（ｎ）に接続されている音声デバイスの音量は調整可能で
あり、さらに、複数のスピーカーのそれぞれの音量が調整される。その後、図６に示すよ
うに、音量メッセージがリング内を回るように送信される。より詳細には、ユーザーは、
自身の音声デバイスの音量を調整することができる。その後、この調整は、リングネット
ワーク上で音声デバイスが接続されているスピーカーに、新たな音量信号を送信する。図
６において、このスピーカーは、スピーカーｓ（ｎ）である。その後、スピーカーｓ（ｎ
）は、音声デバイスから新たな音量信号を受信し、さらに、この新たな音量信号を、自身
の下流のスピーカーｓ（ｎ＋１）に送信する。その後、下流のスピーカーｓ（ｎ＋１）も
、音量信号を下流に送信する。これは、各スピーカーが新たな音量信号を受信し、さらに
、自身の音量を調整するまで続けられる。受信された音量信号が、スピーカーが既に設定
している音量と同じである場合、音量信号は、リングネットワーク内における循環を停止
してもよい。または、スピーカーが新たな音量信号と、上述した（図示しない）末尾メッ
セージとを受信した場合、音量信号は、リングネットワーク内における循環を停止しても
よい。音量は、図６に示すように調整されるが、任意の音声コントロール信号（停止、一
時停止、次の音声、前の音声、音声の再度の再生、音声の早送り、音声の逆再生等）が、
音声デバイスから、自身に接続されたスピーカーに送信されてもよく、さらに、そのよう
な任意の音声コントロール信号がリングネットワーク内を回るように送信されてもよい。
【００１９】
さらに、上述のように、音声コントロール信号だけでなく、他のデータもネットワーク
内を回るように送信される。例えば、音声デバイスは、音声のタイトル、アーティスト（
歌手）情報、その他音声識別情報を含むメタデータのようなデータを、音声デバイスに接
続されたブルートゥーススピーカーに送信してもよい。その後、データは、リングネット
ワークを介して下流に転送され、複数のブルートゥーススピーカーのそれぞれに転送され
る。その後、このようなデータは、スピーカーのディスプレイ上に表示される。さらに、
複数のスピーカーのそれぞれからのメタデータ（スピーカー名やステータス等）は、リン
グ内を回るように送信され、音声デバイスへと転送される。その後、音声デバイスは、リ
ングネットワーク内において接続されている複数のスピーカーのそれぞれについての情報
を表示してもよい。
【００２０】
上述のように、任意の数のスピーカーがリングネットワークに参加可能である。スピー
カーｓ（ｎｅｗ）は、図７の例示的な実施形態に示されているように、リングネットワー
クに参加可能である。リングネットワークの形成において述べたように、スピーカーｓ（
ｎｅｗ）は、例えば、ボタンやスイッチを用いたユーザーによって、リングネットワーク
モードにされ、さらに、スピーカーｓ（ｎｅｗ）は、動作７００において、スピーカーｓ
（ｎ）へ問い合わせを行う。この問い合わせは、スピーカーｓ（ｎｅｗ）がリングネット
ワークモードとされた際に、ペアリングシグナルを出力するスピーカーｓ（ｎ）によって
実行されてもよい。図７の例示的な実施形態において、スピーカーｓ（ｎ）は、動作７０
０において、スピーカーｓ（ｎｅｗ）のペアリング信号を検出する。動作７０２において
、スピーカーｓ（ｎｅｗ）は、ＡＣＬレベルで、スピーカーｓ（ｎ）と接続する。すなわ
ち、スピーカーｓ（ｎｅｗ）は、スピーカーｓ（ｎ）が音声データおよび信号をスピーカ
ーｓ（ｎｅｗ）に送信することを可能とし、さらに、スピーカーｓ（ｎ）をスピーカーｓ
（ｎｅｗ）の上流スピーカーとして登録するよう構成されている。
【００２１】
その後、動作７０４において、スピーカーｓ（ｎ）およびスピーカーｓ（ｎ＋１）は、
それぞれの設定可能スピーカー登録部（configurable speaker resister）において両者
の間の接続が解除または削除される。この動作は、動作７０６において、スピーカーｓ（
ｎ）のＳＰＰポートからＳＰＰクライアントへの接続を解除する工程を含んでおり、これ
により、スピーカーｓ（ｎ＋１）は、もはや、スピーカーｓ（ｎ）の下流スピーカーｓ（
ｎ＋１）として接続されていない。動作７０８において、スピーカーｓ（ｎ）は、スピー
カーｓ（ｎ＋１）が、もはや、スピーカーｓ（ｎ）の下流スピーカーとして登録されてい
ないよう、スピーカーｓ（ｎ＋１）へのアクセスを除去するよう再設定される。
【００２２】
スピーカーｓ（ｎ）は、既にスピーカーｓ（ｎ＋１）と接続されていないので、動作７
１０、７１２、７１４において、サーバー接続が存在しないとのメッセージ（no server 
connection message）が、スピーカーｓ（ｎ＋１）から下流へ、スピーカーｓ（ｎ−１）
まで送信される。また、サーバー接続が存在しないとのメッセージは、動作７１６におい
て、スピーカーｓ（ｎ）からスピーカーｓ（ｎｅｗ）へ送信される。動作７１８において
、スピーカーｓ（ｎ）は、設定可能スピーカー登録部において、スピーカーｓ（ｎｅｗ）
のＳＰＰクライアント接続に接続される。その後、動作７２０において、サーバー接続が
存在しないとのメッセージが、スピーカーｓ（ｎｅｗ）からスピーカーｓ（ｎ）へ送信さ
れる。その後、動作７２２において、スピーカーｓ（ｎ）は、サーバー接続が存在しない
とのメッセージをスピーカーｓ（ｎ−１）へ送信する。さらに、スピーカーｓ（ｎ−１）
は、動作７２４において、サーバー接続が存在しないとのメッセージをスピーカーｓ（ｎ
＋２）に送信する。さらに、動作７２６において、サーバー接続が存在しないとのメッセ
ージが、スピーカーｓ（ｎ＋２）からスピーカーｓ（ｎ＋１）に送信される。動作７２８
において、スピーカーｓ（ｎ＋１）は、設定可能スピーカー登録部において、ＡＣＬレベ
ルで、スピーカーｓ（ｎｅｗ）と接続する。動作７３０において、スピーカーｓ（ｎｅｗ
）およびスピーカーｓ（ｎ＋１）は、それぞれの設定可能スピーカー登録部においてＳＰ
Ｐクライアントと接続する。その後、スピーカーｓ（ｎｅｗ）は、スピーカーｓ（ｎ）と
スピーカーｓ（ｎ＋１）との間で、リングに追加され、動作７３２において、リングが閉
じられる。音声デバイスからの音声が任意のスピーカーにおいて受信されると、新たなリ
ング内の該任意のスピーカーがリングリーダーを引き継ぐ。
【００２３】
記述される別の方法では、新たなブルートゥーススピーカーからの問い合わせがスピー
カーｓ（ｎ）において受信されると、スピーカーｓ（ｎ）は、下流のブルートゥーススピ
ーカーとの接続を解除、または、下流のブルートゥーススピーカーのアドレスを削除する
。新たなブルートゥーススピーカーｓ（ｎｅｗ）のアドレスが、新たな下流のスピーカー
として、スピーカーｓ（ｎ）に追加される。その後、スピーカーｓ（ｎ）との接続が解除
されたスピーカーｓ（ｎ＋１）のアドレスは、スピーカーｓ（ｎｅｗ）の下流のアドレス
として追加され、一方、スピーカーｓ（ｎ）のアドレスは、上流のアドレスとして、スピ
ーカーｓ（ｎｅｗ）に追加される。最後に、スピーカーｓ（ｎｅｗ）のアドレスが、スピ
ーカーｓ（ｎ＋１）の上流のスピーカーとして追加される。その後、下流のスピーカーｓ
（ｎ）から上流のスピーカーｓ（ｎ＋１）までのリングの流れの下流に位置するスピーカ
ーｓ（ｎｅｗ）を用いて、新たなリングネットワークが形成される。
【００２４】
スピーカーは、図８に示すような制御された方法、または図９に示すような予期しない
方法によって、ネットワークから離脱し得る。例えば、図８に示すように、スピーカーｓ
（ｎ＋３）は、動作８００において、リングネットワークから離脱する。動作８０２およ
び８０４において、離脱メッセージが上流のスピーカーｓ（ｎ＋２）および下流のスピー
カーｓ（ｎ−１）に送信される。動作８０６および８０８において離脱メッセージが送信
されると、スピーカーｓ（ｎ＋２）およびスピーカーｓ（ｎ−１）は、スピーカーｓ（ｎ
＋３）とのＳＰＰクライアントの接続を切る、もしくは、上述の別の方法では、それぞれ
のアドレスが、それぞれの設定可能登録部から除去される。それぞれの設定可能登録部で
、動作８１０において、スピーカーｓ（ｎ−１）は、ＡＣＬレベルでスピーカーｓ（ｎ＋
２）と接続し、さらに、動作８１２において、スピーカーｓ（ｎ＋２）は、スピーカーｓ
（ｎ−１）のＳＰＰクライアントと接続する。その後、動作８１４において、スピーカー
ｓ（ｎ＋３）を除いた新たなリングネットワークが形成される。
【００２５】
制御された離脱の例としては、複数のスピーカーに接続された複数の音声デバイスのい
ずれか１つが、電話呼び出し（phone call）を受信したときが挙げられる。音声デバイス
が電話呼び出しを受信すると、その音声デバイスに接続されたスピーカーは、リングネッ
トワークから離脱し、リングネットワーク内で回るように離脱メッセージを送信する。そ
の後、電話呼び出しは、音声デバイスに接続されたスピーカーでのみ再生され、新たに形
成されたリングネットワーク内のすべてのスピーカーでは再生されない。電話呼び出しの
受信者は、電話またはスピーカーで電話を取るか否かを決断する。電話呼び出しが終了し
た後、スピーカーｓ（ｎ＋３）は、図７を参照して説明した動作を用いて、ネットワーク
に再度参加する。
【００２６】
図９に示すように、スピーカーは、リングネットワークから突然離脱することもある。
例えば、スピーカーは通信範囲外に移動し得るし、スピーカーの電源が遮断され得る。こ
のような場合、図９に示すように、リングネットワークは破壊され、リング修復プロトコ
ルが用いられる。
【００２７】
動作９００において、スピーカーｓ（ｎ＋３）が、ネットワークから突然離脱する。動
作９０２および９０４において、上流のスピーカーｓ（ｎ＋２）および下流のスピーカー
ｓ（ｎ−１）において、ホストコントローラーインターフェース（ＨＣＩ： Host Contro
ller Interface）管理者タイムアウト（supervisor timeout）が発生する。このタイムア
ウトは、上流および下流のスピーカーが、離脱したスピーカーに接続できなくなったとき
に発生する。このタイムアウトの間、スピーカーｓ（ｎ＋２）およびスピーカーｓ（ｎ−
１）は、スピーカーｓ（ｎ＋３）との再接続を試みてもよい。動作９０６において、リン
グが開かれており、修復が必要であることが認識される。その後、動作９０８、９１０、
および９１２において、サーバー接続が存在しないとのメッセージ（no server connecti
on message）が、スピーカーｓ（ｎ−１）から下流に送信される。さらに、動作９１４、
９１６、および９１８において、サーバー接続が存在しないとのメッセージが、スピーカ
ーｓ（ｎ＋２）から上流に送信される。その後、動作９２０および９２２において、それ
ぞれの設定可能登録部で、スピーカーｓ（ｎ−１）およびスピーカーｓ（ｎ＋１）は、Ａ
ＣＬレベルの接続とＳＰＰクライアント接続を確立する。動作９２４において、スピーカ
ーｓ（ｎ＋３）を用いない新たなリングネットワークが形成され、リングネットワーク内
に残る複数のスピーカーの任意の１つの引継準備が成される。新たなリングネットワーク
が形成された後、必要であれば、スピーカーｓ（ｎ＋３）は、図７を参照して説明した動
作を用いて、リングネットワークに再参加できる。
【００２８】
以下に例を述べる。第１の人が２つのスピーカーをセットアップし、左と右のステレオ
配置を生成する。第１の人は、それらをリングネットワークモードに設定する。第１のス
ピーカーのペアリングボタンが押下されると、第１の人のアイフォンが、音声デバイスと
して第１のスピーカーにペアリングされる。
【００２９】
第１のスピーカーがそれ以前にペアリングを実行したことがない場合、ペアリングボタ
ンの押下は不要である。何故ならば、スピーカーは、リングネットワークモードにされた
ときに、ペアリング可能な任意のデバイスを検索（サーチ）するからである。さらに、ペ
アリングモード時にスピーカーとまだ接続されていないデバイスが存在しない場合、その
後、スピーカーは、ペアリングボタンが押下されなくとも、接続可能なデバイスを検索す
る。
【００３０】
その後、第１の人は、第２のスピーカーをリングネットワークモードに設定する。第１
のスピーカーがアイフォンに接続されているので、第１の人は、第１のスピーカーのペア
リングボタンを押下し、第１のスピーカーと第２のスピーカーとをペアリングする。この
場合もやはり、第２のスピーカーがそれ以前にペアリングされたことがある場合には、ユ
ーザーは、第２のスピーカーのペアリングボタンを押下する。それ以前にペアリングを実
行したことがない場合、これは、最初の電源オンであり、ペアリング可能なデバイスを既
に検索している。
【００３１】
第２のスピーカーが第１のスピーカーとペアリングされると、第１の人は、自身のアイ
フォンの再生ボタンを押下し、音声が双方のスピーカーから再生される。左の音声は、ア
イフォンに直接ペアリングされたスピーカーからのものであり、右の音声は、第２のスピ
ーカーからのものである。この状態は、これら２つのスピーカーのリングネットワークに
常に当てはまる。
【００３２】
第２の人も、第１の人によって所有されている第１および第２のスピーカーによって形
成されたリングネットワークに、別のスピーカーを接続することを希望することができる
。第２の人は、自身のスピーカーをリングネットワークモードとする。その後、第１の人
は、自身のスピーカーのうちの１つのペアリングボタンを押下し、第２の人は、自身のス
ピーカーのペアリングボタンを押下する。これらスピーカーは、スピーカーが接続された
ことを表示するための光源を備えていてもよい。光源は、ユーザーがスピーカーのペアリ
ングボタンを押下した後に点滅する。スピーカーが新たなデバイスに接続されると、スピ
ーカー上の光源が点灯したままとなる。第２の人のスピーカーがリングネットワークに追
加されると、音声がすべてのスピーカーから再生され始める。３つのスピーカーが接続さ
れており、単一の音声が複数のスピーカーのそれぞれから再生される。
【００３３】
第３の人も、リングネットワークに参加することを希望することができる。この場合、
第１の人は、自身のスピーカーのうちの１つのペアリングボタンを再度押下する。第３の
人は、自身のスピーカーをリングネットワークモードとし、ペアリングボタンを押下する
。双方のスピーカーの光源からの点灯によって表示されるように、複数のスピーカーが接
続されると、音声が第３の人のスピーカーから再生され始める。また、音声デバイスが第
３の人のスピーカーとペアリングされると、第３の人は、自身の音声デバイス（例えば、
アイパッド）の再生ボタンを押下することにより、複数のスピーカーのリングネットワー
クをコントロールすることができ、新たな音声がすべてのスピーカーから再生され始める
。自身の音声デバイスの再生ボタンを最後に押下した人が、リングネットワークをコント
ロールする。
【００３４】
第４の人も、別の４つのスピーカーをリングネットワークに追加することを希望するこ
とができる。第４の人は、既にリングネットワーク内にある複数のスピーカーの任意の１
つのペアリングボタンを押下し、その後、自身の４つのスピーカーのいずれか１つのペア
リングボタンを押下する。この作業は、自身の４つのスピーカーのそれぞれに対して繰り
返され、その後、全てのスピーカーがリングネットワークに追加され、合計８つのスピー
カーがリングネットワークに含まれる。
【００３５】
第５の人は、スピーカーを有していないが、自身の音声デバイスの音声を共有すること
を希望している。第５の人は、複数のスピーカーのうちの１つのペアリングボタンを押下
する。その後、音声デバイスがスピーカーとペアリングされ、第５の人が再生ボタンを押
下し、リングネットワークを引き継ぐ。
【００３６】
図１０は、リングネットワークにおいて用いられる例示的なスピーカー１０００のブロ
ック図を示す。スピーカーは、プロセッサー１００２によって転送される音声を内部に備
えており、さらに、設定可能登録部１００４に転送されるブルートゥースプロトコルを内
部に備えている。ブルートゥースプロトコルは、上流および下流のスピーカーを稼働して
いるスピーカーに登録することを可能としている。音声データおよびブルートゥースプロ
トコルデータは、プロセッサー１００２によって転送される。音声データは、ブルートゥ
ースプロトコル情報と同様に、プロセッサーから、リングネットワーク内の次のスピーカ
ーに転送される。また、プロセッサー１００２は、音声データをアンプ１００８および最
終的にはスピーカー１０１０に送信する際に、音声データをデジタルアナログコンバータ
ー１００６に送信し、音声データを再生する。また、設定可能登録部１００４は、ステー
タス表示部１０１２に接続され、ユーザーが、スピーカーがリングネットワーク内におい
て接続されていることを確認できるようにする。ステータス表示部１０１２は、例えば、
上述のように、光源であってもよい。しかしながら、任意のステータス表示部を用いて、
ユーザーが、スピーカーが接続されていることを確認可能とすることができる。
【００３７】
本発明の好適な実施形態を参照して、本開示の技術の原理が説明および示されたが、開
示の技術は、このような原理から逸脱することなく、配置や詳細の部分で変更可能である
ことは明らかであろう。全ての変形および変更が以下に示す請求項の範囲及び原理内に含
まれることを出願人は主張する。
【図１】
2020109989.tif 000003
【図２】
2020109989.tif 000004
【図３】
2020109989.tif 000005
【図４】
2020109989.tif 000006
【図５】
2020109989.tif 000007
【図６】
2020109989.tif 000008
【図７】
2020109989.tif 000009
【図８】
2020109989.tif 000010
【図９】
2020109989.tif 000011
【図１０】
2020109989.tif 000012
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
複数のスピーカーのリングネットワークを形成するための方法であって、
前記複数のスピーカーにおける上流のスピーカーのアドレスを、前記複数のスピーカーのそれぞれの設定可能スピーカー登録部に追加する工程と、
前記複数のスピーカーにおける下流のスピーカーのアドレスを、前記複数のスピーカーのそれぞれの前記設定可能スピーカー登録部に追加する工程と、
少なくとも１つの音源を、前記複数のスピーカーのうちの１つのスピーカーに接続する工程と、
前記音源に接続された前記１つのスピーカーにおいて、前記音源から音声信号を受信する工程と、
前記音源に接続された前記１つのスピーカーから、下流のスピーカーに前記音声信号を送信する工程と、
前記音源に接続された前記１つのスピーカーから、上流のスピーカーに末尾信号を送信する工程と、
前記下流のスピーカーから、前記複数のスピーカーのうちのさらに下流のスピーカーのそれぞれに、複数の前記下流のスピーカーの１つが、前記音声信号と前記末尾信号を受信するまで、前記音声信号を送信する工程と、を含む方法。
【請求項２】
前記音源から、音量信号を受信する工程と、
前記音源に接続された前記１つのスピーカーに、前記音量信号を送信する工程と、
前記１つのスピーカーから、下流のスピーカーに、前記音量信号を送信する工程と、
前記下流のスピーカーから、前記複数のスピーカーのうちのさらに下流のスピーカーのそれぞれに前記音量信号を送信する工程と、をさらに含む請求項１に記載の方法。
【請求項３】
前記複数のスピーカーの前記リングネットワークに、新たなスピーカーを参加させる工程をさらに含む請求項１に記載の方法。
【請求項４】
前記複数のスピーカーのうちの別のスピーカーにおいて、前記新たなスピーカーから問い合わせを受信する工程と、
前記リングネットワークに参加するために、前記別のスピーカーを介して、前記問い合わせに応答する工程と、
元々の上流のスピーカーの前記設定可能スピーカー登録部から、前記別のスピーカーの前記アドレスを削除する工程と、
前記別のスピーカーの前記設定可能スピーカー登録部に、前記新たなスピーカーの前記アドレスを、新たな上流のスピーカーとして追加する工程と、
前記新たなスピーカーの前記設定可能スピーカー登録部に、前記元々の上流のスピーカーの前記アドレスを、前記新たなスピーカーの上流のスピーカーとして追加する工程と、
前記新たなスピーカーの前記設定可能スピーカー登録部に、前記別のスピーカーの前記アドレスを、前記新たなスピーカーの下流のスピーカーとして追加する工程と、をさらに含む請求項１に記載の方法。
【請求項５】
前記リングネットワークから、前記複数のスピーカーのうちの１つのスピーカーを除去する工程をさらに含む請求項１に記載の方法。
【請求項６】
除去される前記スピーカーの下流のスピーカーの設定可能スピーカー登録部および除去される前記スピーカーの上流のスピーカーの設定可能スピーカー登録部から、除去される前記スピーカーのアドレスを削除する工程と、
前記上流のスピーカーの前記設定可能スピーカー登録部に、前記下流のスピーカーのアドレスを、新たな下流のスピーカーとして追加する工程と、
前記下流のスピーカーの前記設定可能スピーカー登録部に、前記上流のスピーカーのアドレスを、新たな上流スピーカーとして追加する工程と、をさらに含む請求項１に記載の方法。
【請求項７】
前記複数のスピーカーのうちの前記スピーカーのそれぞれから、下流に流れる同期信号を送信する工程と
前記音源からの音声信号を同期させる工程とをさらに含む請求項１に記載の方法。
【請求項８】
別の音源を、前記複数のスピーカーのうちの別のスピーカーに接続する工程をさらに含む請求項１に記載の方法。
【請求項９】
前記複数のスピーカーは、７つより多くのスピーカーを含む請求項１に記載の方法。
【請求項１０】
前記音源に接続された前記１つのスピーカーにおいて、前記音源からデータを受信する工程と、
前記音源に接続された前記１つのスピーカーから、下流のスピーカーに、前記データを送信する工程と、
前記下流のスピーカーから、前記複数のスピーカーのうちのさらに下流のスピーカーのそれぞれに、前記データを送信する工程と、をさらに含む請求項１に記載の方法。
【請求項１１】
前記データは、音声のタイトルまたはアーティスト情報を含む請求項１０に記載の方法。
【請求項１２】
前記音源に接続された前記１つのスピーカーから、前記音源に、データを送信する工程をさらに含む請求項１に記載の方法。
【請求項１３】
前記音源に接続された前記１つのスピーカーが前記データを受信するまで、前記複数のスピーカーのうちのスピーカーから、下流のスピーカーのそれぞれにデータを送信する工程をさらに含む請求項１２に記載の方法。
【請求項１４】
複数のスピーカーのリングネットワークを形成するための方法であって、
前記複数のスピーカーにおける上流のスピーカーのアドレスを、前記複数のスピーカーのそれぞれの設定可能スピーカー登録部に追加する工程と、
前記複数のスピーカーにおける下流のスピーカーのアドレスを、前記複数のスピーカーのそれぞれの前記設定可能スピーカー登録部に追加する工程と、
少なくとも１つの音源を、前記複数のスピーカーのうちの１つのスピーカーに接続する工程と、
遅延信号をリングネットワークに送信して、リングリーダーのスピーカーからのノードカウントに基づいて、各スピーカーにおける対応の音声信号の遅延を一定値に調整する工程とを含み、
前記複数のスピーカーのうちの１つのスピーカーは、前記音声信号の出力を遅延させず、さらに、前記複数のスピーカーのうちの残りの複数のスピーカーの少なくとも１つは、異なる時間間隔だけ、前記音声信号の出力を遅延させる、方法。
【請求項１５】
音源と、
リング構造で接続され、それぞれの上流のスピーカーと下流のスピーカーの識別情報を保存するよう構成された複数のスピーカーとを含み、前記複数のスピーカーの各々は、上流シリアルポートプロファイルクライアントポートと、下流シリアルポートプロファイルクライアントポートとを含み、
前記複数のスピーカーのうち、前記音源に接続された１つのスピーカーは、結合されたスピーカーの下流シリアルポートプロファイルクライアントポートを通じて、リングリーダーメッセージを送信し、かつ、前記結合されたスピーカーの上流シリアルポートプロファイルクライアントポートを通じて対応する末尾メッセージを送信することにより、リングリーダーとして指定される、システム。
【請求項１６】
前記複数のスピーカー内における前記スピーカーの数は、変動可能である請求項１５に記載のシステム。
【請求項１７】
前記複数のスピーカーは、前記複数のスピーカーからあるスピーカーが除去されたときに、前記リング構造を再形成するよう構成されている請求項１６に記載のシステム。
【請求項１８】
前記複数のスピーカーのうちの少なくとも１つのスピーカーが、前記複数のスピーカーから制御されて除去されたとき、前記複数のスピーカーのうちの残りの複数のスピーカーが、別のリング構造を形成するよう構成されている請求項１６に記載のシステム。
【請求項１９】
前記複数のスピーカーのうちの少なくとも１つのスピーカーが、前記複数のスピーカーから制御されずに除去されたとき、前記複数のスピーカーのうちの残りの複数のスピーカーが、別のリング構造を形成するよう構成されている請求項１６に記載のシステム。
【請求項２０】
前記複数のスピーカーは、前記複数のスピーカーに新たなスピーカーが追加されたときに、前記新たなスピーカーを含む別のリング構造を形成する請求項１５に記載のシステム。
【請求項２１】
前記複数のスピーカーの数は、７より多い請求項１５に記載のシステム。
【請求項２２】
前記音源は、前記音源に接続された前記１つのスピーカーに、音声信号を送信するよう構成されており、
前記音声信号は、前記音源に接続され、前記音声信号を受信した前記１つのスピーカーの上流の前記スピーカーにおいて前記音声信号が受信されるまで、前記リング構造の前記複数のスピーカーのそれぞれに送信される請求項１５に記載のシステム。
【請求項２３】
前記システムは、
前記複数のスピーカーのうちの別のスピーカーに接続された別の音源をさらに含み、
前記別の音源は、前記別の音源に接続された前記別のスピーカーに、別の音声信号を送信するよう構成されており、
前記別の音声信号は、前記別の音声信号が、前記別の音源に接続され、前記別の音声信号を受信した前記別のスピーカーの上流の前記スピーカーにおいて受信されるまで、前記音声信号の代わりに、前記リング構造の前記複数のスピーカーのそれぞれに送信される請求項２２に記載のシステム。
【請求項２４】
前記複数のスピーカーのうちの前記スピーカーのそれぞれは、前記音源から受信した音量信号に基づいて、同じ音量レベルで動作する請求項１５に記載のシステム。
【請求項２５】
前記複数のスピーカーのうちの前記スピーカーのそれぞれに接続された変動可能な数の追加的な音源をさらに含む請求項２３に記載のシステム。
【請求項２６】
前記音源は、前記音源に接続された前記１つのスピーカーに、データを送信するよう構成されており、
前記データは、前記リング構造の前記複数のスピーカーのそれぞれに送信される請求項１５に記載のシステム。
【請求項２７】
前記データは、音声のタイトルまたはアーティスト情報を含む請求項２６に記載のシステム。
【請求項２８】
前記音源は、前記音源に接続された前記１つのスピーカーから、前記複数のスピーカーの１つにおいて生成されたデータを受信するよう構成されている請求項１５に記載のシステム。
【外国語明細書】
2020109989000001.pdf